(57)【要約】【課題】画像形成装置の周囲の人が画像形成装置のモードを設定でき、周囲の人が受ける不快感を抑制できる画像形成システムを提供する。【解決手段】画像形成システム１は、画像形成装置４と、携帯端末２とを備える。画像形成装置４は、用紙Ｓに画像を形成する。携帯端末２は、通信ネットワークＮを介して画像形成装置４と通信可能である。画像形成装置４には、外部からモード情報が入力される。モード情報は、所定の形成速度で画像を形成する静音モード、又は静音モードよりも速い形成速度で画像を形成する通常モードを示す。携帯端末２には、静音モードが設定可能である。画像形成装置４は、外部から入力されたモード情報が通常モードを示し、携帯端末２から静音モードを示す設定情報を取得した場合に、静音モードで画像を形成する。【選択図】図１
2018167415.tif 000002
【特許請求の範囲】
【請求項１】
記録媒体に画像を形成する画像形成装置と、
通信ネットワークを介して前記画像形成装置と通信可能な携帯端末と
を備える、画像形成システムであって、
前記画像形成装置には、外部からモード情報が入力され、
前記モード情報は、所定の形成速度で前記画像を形成する静音モード、又は前記静音モードよりも速い形成速度で前記画像を形成する通常モードを示し、
前記携帯端末には、前記静音モードが設定可能であり、
前記画像形成装置は、外部から入力された前記モード情報が前記通常モードを示し、前記携帯端末から前記静音モードを示す設定情報を取得した場合に、前記静音モードで前記画像を形成する、画像形成システム。
【請求項２】
前記画像形成装置は、
前記携帯端末との通信に基づいて、前記携帯端末の位置を示す位置情報を生成し、
前記画像形成装置から所定範囲内の前記携帯端末から前記設定情報を取得する、請求項１に記載の画像形成システム。
【請求項３】
前記画像形成装置は、
前記携帯端末との通信に基づいて、前記携帯端末の位置を示す位置情報を生成し、
複数の携帯端末のうち、前記画像形成装置に最も近い位置の前記携帯端末から前記設定情報を取得する、請求項１、又は請求項２に記載の画像形成システム。
【請求項４】
前記通信ネットワークは、前記画像形成装置と前記携帯端末とが光を用いて通信する光通信を含み、
前記画像形成装置は、前記光通信の通信時間に基づいて、前記位置情報を生成する、請求項２、又は請求項３に記載の画像形成システム。
【請求項５】
前記携帯端末は、前記携帯端末の位置を特定するＧＰＳ機能を有し、
前記画像形成装置は、前記通信ネットワークを介して取得した前記携帯端末の位置に基づいて、前記位置情報を生成する、請求項２から請求項４のいずれか１項に記載の画像形成システム。
【請求項６】
前記携帯端末は、前記携帯端末の報告音を制限するマナーモードを設定可能であり、
前記画像形成装置は、前記携帯端末が前記マナーモードに設定されている場合に、前記携帯端末から前記設定情報を取得する、請求項１から請求項５のいずれか１項に記載の画像形成システム。
【発明の詳細な説明】
【技術分野】
【０００１】
本発明は、画像形成システムに関する。
【背景技術】
【０００２】
特許文献１に記載の画像形成装置は、プリンター機能と、電話機能とを有する。プリンター機能は、印刷速度を優先した通常モード、又は通常モードよりも印刷速度が抑えられた静音モードで実行される。特許文献１に記載の画像形成装置では、プリンター機能を通常モードで実行中に、電話機能の着信があった場合に、通常モードが静音モードに切り替えられる。この結果、プリンター機能を実行中に快適な通話が可能である。
【先行技術文献】
【特許文献】
【０００３】
【特許文献１】特開２００６−１０３０９５号公報
【発明の概要】
【発明が解決しようとする課題】
【０００４】
しかしながら、特許文献１に記載の画像形成装置では、電話機能が使用される場合に、プリンター機能が通常モードから静音モードに切り替えられる。換言すると、プリンター機能は、電話機能が実行されない場合には、通常モードで実行される。したがって、画像形成装置の使用者がプリンター機能を通常モードで実行した場合には、画像形成装置の作動音が画像形成装置の周囲の人に不快感を与えるおそれがある。
【０００５】
本発明は上記課題に鑑みてなされたものであり、その目的は、携帯端末に設定された静音モードに対応するように、画像形成装置のモードが設定されて、周囲の人が受ける不快感を抑制できる画像形成システムを提供することにある。
【課題を解決するための手段】
【０００６】
本発明に係る画像形成システムは、画像形成装置と、携帯端末とを備える。前記画像形成装置は、記録媒体に画像を形成する。前記携帯端末は、通信ネットワークを介して前記画像形成装置と通信可能である。前記画像形成装置には、外部からモード情報が入力される。前記モード情報は、所定の形成速度で前記画像を形成する静音モード、又は前記静音モードよりも速い形成速度で前記画像を形成する通常モードを示す。前記携帯端末には、前記静音モードが設定可能である。前記画像形成装置は、外部から入力された前記モード情報が前記通常モードを示し、前記携帯端末から前記静音モードを示す設定情報を取得した場合に、前記静音モードで前記画像を形成する。
【発明の効果】
【０００７】
本発明の画像形成システムによれば、携帯端末に設定された静音モードに対応するように、画像形成装置のモードが設定されて、周囲の人が受ける不快感を抑制できる。
【図面の簡単な説明】
【０００８】
【図１】本発明の実施形態１に係る画像形成システムを示すブロック図である。
【図２】図１の画像形成装置の構成を示す図である。
【図３】図２の画像形成装置の構成を示すブロック図である。
【図４】本発明の実施形態２に係る制御部の画像形成制御を示すフローチャートである。
【発明を実施するための形態】
【０００９】
以下、図面を参照して本発明の実施形態を説明する。ただし、本発明は以下の実施形態に限定されない。なお、図中、同一、又は相当部分については、同一の参照符号を付して説明を繰り返さない。
【００１０】
（実施形態１）
図１を参照して、本発明の実施形態１に係る画像形成システム１について説明する。図１は、本発明の実施形態１に係る画像形成システム１を示すブロック図である。図１に示すように、画像形成システム１は、複数の携帯端末２と、複数の端末装置３と、画像形成装置４とを備える。
【００１１】
画像形成装置４は、複合機である。複合機は、例えば、コピー機能、プリンター機能、及びファクシミリ機能のうち少なくとも２つの機能を有する。画像形成装置４は、後述する用紙Ｓに画像を形成する。画像形成装置４は、静音モードにおいて、所定の形成速度で用紙Ｓに画像を形成する。画像形成装置４は、通常モードにおいて、静音モードよりも速い形成速度で用紙Ｓに画像を形成する。
【００１２】
画像形成装置４は、制御部４１と、通信部４５とを備える。制御部４１は、通信ネットワークＮを介して携帯端末２、及び端末装置３と通信するように、通信部４５を制御する。
【００１３】
通信ネットワークＮは、例えば、インターネット、又は光通信等の専用回線である。光通信において、携帯端末２と画像形成装置４とは、光を用いて通信を行う。光通信は、例えば、ブルートゥース（登録商標）（Ｂｌｕｅｔｏｏｔｈ（登録商標））である。
【００１４】
携帯端末２は、例えば、画像形成装置４の使用者を含む画像形成装置４の周囲の人である携帯者が携帯する。携帯端末２は、例えば、スマートフォンを含む携帯電話、タブレットパソコン、及びノートパソコンである。携帯端末２は、通信ネットワークＮを介して画像形成装置４と通信可能に接続される。
【００１５】
携帯端末２は、記憶部２１と、通信部２２と、携帯側表示部と、携帯側操作部とを有する。通信部２２は、通信ネットワークＮを介して画像形成装置４と通信可能である。
【００１６】
携帯端末２には、静音モードが設定可能である。携帯側表示部は、携帯者に各種の画面を表示する。携帯側操作部は、携帯者の操作に応じた操作信号を生成する。記憶部２１は、携帯者によって設定された静音モードを記憶する。
【００１７】
携帯端末２に静音モードを設定する場合に、携帯者は、例えば、通信ネットワークＮを介して画像形成装置４の設定画面を取得する。携帯者は、携帯側表示部に表示される設定画面に応じて、携帯側操作部から静音モードを示す情報を入力する。記憶部２１は、携帯側操作部の操作信号に基づいて生成された設定情報を記憶する。設定情報は、静音モードが設定されたか否かを示す情報を含む。
【００１８】
端末装置３は、画像形成装置４の使用者の操作に応じて、画像形成装置４にモード情報を出力する。端末装置３は、本発明の外部の一例である。端末装置３は、例えば、デスクトップパソコン、ノートパソコン、タブレットパソコン、ファクシミリ、及びカメラである。モード情報は、通常モード、又は静音モードを示す。モード情報は、例えば、画像データとともに画像形成装置４に出力される。画像データは、原稿の画像を示す。
【００１９】
図２を参照して画像形成装置４について説明する。図２は、画像形成装置４の構成を示す。図２に示すように、画像形成装置４は、制御部４１と、通信部４５とに加えて、画像形成部４２と、操作パネル４３と、画像読取部４４と、記憶部４６とを更に備える。
【００２０】
制御部４１は、静音モード、又は通常モードに画像形成装置４を変更可能である。静音モードでは、形成速度が通常モードの形成速度よりも遅いため、通常モードに比して画像形成装置４の作動音が抑制される。一方、通常モードでは、形成速度が静音モードの形成速度よりも速いため、静音モードに比して用紙Ｓに画像を形成するために要する時間が短縮される。
【００２１】
用紙Ｓは、記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２２】
画像形成部４２は、画像データに基づいて、用紙Ｓにトナー画像を形成する。画像形成部４２は、通常モード、又は静音モードの形成速度で用紙Ｓにトナー画像を形成する。
【００２３】
画像読取部４４は、原稿を読み取って画像データを生成する。画像読取部４４は、画像データを制御部４１に出力する。画像読取部４４は、例えば、スキャナーである。
【００２４】
操作パネル４３は、表示部４３ａと、操作部４３ｂとを有する。操作部４３ｂは、ハードキーを含む。操作部４３ｂは、画像形成装置４の使用者の操作に応じた操作信号を出力する。使用者の操作は、例えば、画像形成装置４の各種設定を行う操作を含む。
【００２５】
表示部４３ａは、ディスプレーから構成される。ディスプレーは、タッチパネル機能を有する。表示部４３ａは、画像形成装置４の使用者に各種の画面を表示する。また、表示部４３ａは、入力キー等が描かれた操作画面を表示して、操作部４３ｂとしても機能する。
【００２６】
図３を参照して制御部４１について更に説明する。図３は、実施形態１の画像形成装置４の構成を示すブロック図である。記憶部４６は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の半導体メモリーを有する。ＲＯＭは、例えば、制御部４１によって実行される種々のコンピュータープログラムを記憶する。ＲＡＭは、例えば、画像データと、携帯端末２の設定情報とを記憶する。
【００２７】
制御部４１は、記憶部４６に予め記憶されたコンピュータープログラムを実行することにより、画像形成部４２、操作パネル４３、及び画像読取部４４を制御する。制御部４１は、例えば、ＣＰＵ（Ｃｅｎｔｒａｌ  Ｐｒｏｃｅｓｓｉｎｇ  Ｕｎｉｔ）から構成される。
【００２８】
制御部４１は、端末装置３から入力される画像データに基づいて、用紙Ｓにトナー画像を形成するように画像形成部４２を制御する。なお、画像データは、例えば、ＵＳＢ機能、及び無線機能を用いて、カメラから入力されてもよい。カメラを用いる場合に、モード情報は、例えば、操作パネル４３から入力される。
【００２９】
制御部４１は、モード情報と、携帯端末２の設定情報とに基づいて、画像形成装置４のモードを設定する。
【００３０】
制御部４１は、携帯端末２との通信に基づいて、携帯端末２から設定情報を取得する。制御部４１は、携帯端末２の記憶部２１から設定情報を取得するように、通信部４５を制御する。この結果、制御部４１は、携帯端末２の通信部２２から通信部４５を介して設定情報を取得する。
【００３１】
制御部４１は、取得した携帯端末２の設定情報を記憶部４６に記憶させる。制御部４１は、携帯端末２の設定情報を、例えば、携帯端末２の固体情報に関連付けて記憶部４６に記憶させる。制御部４１は、例えば、画像形成装置４に画像データが入力された際に、携帯端末２から設定情報を取得する。なお、制御部４１は、所定の時間毎に、携帯端末２から設定情報を取得してもよい。
【００３２】
制御部４１は、画像データと、モード情報とが画像形成装置４に入力された際に、モード情報が通常モードを示すか否かを判定する。制御部４１は、モード情報が通常モードを示さずに静音モードを示す場合に、画像形成装置４を静音モードに設定する。この結果、画像形成装置４は、静音モードの形成速度で用紙Ｓに画像を形成する。
【００３３】
制御部４１は、モード情報が通常モードを示す場合に、記憶部４６に記憶される携帯端末２の設定情報を参照する。制御部４１は、設定情報が静音モードを示す情報を含むか否かを判定する。制御部４１は、設定情報が静音モードを示す情報を含まない場合に、画像形成装置４を通常モードに設定する。この結果、画像形成装置４は、通常モードの形成速度で用紙Ｓに画像を形成する。
【００３４】
制御部４１は、設定情報が静音モードを示す情報を含む場合に、画像形成装置４を静音モードに設定する。この結果、画像形成装置４は、静音モードの形成速度で用紙Ｓに画像を形成する。
【００３５】
本発明の実施形態１の画像形成システム１では、端末装置３を介して、画像形成装置４の使用者から画像形成装置４に通常モードを示すモード情報が入力された場合であっても、携帯端末２を携帯する携帯者の設定に対応するように、静音モードの形成速度で用紙Ｓに画像が形成される。すなわち、本発明の実施形態１では、携帯者が携帯端末に設定する静音モードに対応するように、画像形成装置４のモードが設定される。この結果、本発明の実施形態１の画像形成システム１では、画像形成装置４の作動音が周囲の人に与える不快感を抑制できる。ここで、画像形成装置４の周囲の人は、例えば、画像形成装置４の近くに位置する人、及び音に敏感な人である。
【００３６】
（実施形態２）
続いて、図３を参照して、本発明の実施形態２に係る画像形成システム１について説明する。本発明の実施形態１では、携帯端末２の設定情報に基づいて、画像形成装置４が静音モードに設定されたが、本発明の実施形態２では、携帯端末２の設定情報と、携帯端末２の位置情報とに基づいて、画像形成装置４のモードが設定される。
【００３７】
制御部４１は、携帯端末２との通信に基づいて、携帯端末２の位置情報を生成する。具体的には、制御部４１は、携帯端末２との光通信の通信時間に基づいて、画像形成装置４と携帯端末２との間の距離を計測する。制御部４１は、計測した距離に基づいて、携帯端末２の位置情報を生成する。
【００３８】
制御部４１は、生成した位置情報を記憶部４６に記憶させる。制御部４１は、例えば、携帯端末２の固体情報に関連付けて、携帯端末２の設定情報と携帯端末２の位置情報とを記憶部４６に記憶させる。制御部４１は、画像形成装置４に画像データが入力された際に、携帯端末２の位置情報を生成する。なお、制御部４１は、所定の時間毎に、携帯端末２の位置情報を生成してもよい。
【００３９】
制御部４１は、画像データと、モード情報とが画像形成装置４に入力された際に、モード情報が通常モードを示すか否かを判定する。制御部４１は、モード情報が通常モードを示さずに静音モードを示す場合に、画像形成装置４を静音モードに設定する。この結果、画像形成装置４は、静音モードの形成速度で用紙Ｓに画像を形成する。
【００４０】
制御部４１は、モード情報が通常モードを示す場合に、画像形成装置４から所定範囲内の携帯端末２について、静音モードに設定されていることを示す設定情報が記憶部４６に記憶されているか否かを判定する。具体的には、制御部４１は、記憶部４６に記憶される位置情報を参照して、画像形成装置４から所定範囲内に、携帯端末２が位置するか否かを判定する。制御部４１は、所定範囲内に携帯端末２が位置しない場合に、画像形成装置４を通常モードに設定する。この結果、画像形成装置４は、通常モードの形成速度で用紙Ｓに画像を形成する。
【００４１】
制御部４１は、所定範囲内に携帯端末２が位置する場合に、記憶部４６に記憶される所定範囲内の携帯端末２の設定情報を参照する。制御部４１は、所定範囲内の携帯端末２の設定情報が静音モードに設定されていることを示すか否かを判定する。制御部４１は、設定情報が静音モードに設定されていることを示さない場合に、画像形成装置４を通常モードに設定する。この結果、画像形成装置４は、通常モードの形成速度で用紙Ｓに画像を形成する。
【００４２】
制御部４１は、設定情報が静音モードに設定されていることを示す場合に、画像形成装置４を静音モードに設定する。この結果、画像形成装置４は、静音モードの形成速度で用紙Ｓに画像を形成する。
【００４３】
本発明の実施形態２の画像形成システム１では、端末装置３を介して、画像形成装置４の使用者から画像形成装置４に通常モードを示すモード情報が入力された場合であっても、画像形成装置４から所定範囲内に位置する携帯者の設定に対応するように、静音モードの形成速度で用紙Ｓに画像が形成される。すなわち、実施形態２では、画像形成装置４の近くに位置する携帯端末に設定される静音モードに対応するように、画像形成装置４のモードが設定される。この結果、本発明の実施形態２の画像形成システム１では、画像形成装置４の作動音が画像形成装置４の近くに位置する携帯者に与える不快感を抑制できる。
【００４４】
なお、制御部４１は、端末装置３を介して使用者から入力されたモード情報が通常モードを示す場合に、画像形成装置４を静音モードに設定した際には、画像形成装置４を静音モードに設定した旨を端末装置３に通知してもよい。この結果、通常モードを示すモード情報を画像形成装置４に入力した使用者は、画像形成装置４の近くに位置する携帯者の設定に対応するように、画像形成装置４が静音モードで用紙Ｓに画像を形成することを予め確認できる。
【００４５】
図４を参照して、本発明の実施形態２の制御部４１の画像形成制御について説明する。図４は、制御部４１の画像形成制御を示すフローチャートである。図４に示すように、制御部４１は、ステップＳ１０において、端末装置３から画像データ、及びモード情報が入力された際に、ステップＳ２０において、モード情報が通常モードを示すか否かを判定する。制御部４１は、モード情報が通常モードを示さない場合に（ステップＳ２０のＮｏ）、ステップＳ３０において、画像形成装置４を静音モードに設定する。制御部４１は、画像形成装置４を静音モードに設定した後に、ステップＳ４０において、用紙Ｓに画像を形成するように画像形成部４２を制御して、画像形成制御を終了する。
【００４６】
制御部４１は、モード情報が通常モードを示す場合に（ステップＳ２０のＹｅｓ）、ステップＳ５０において、携帯端末２との通信に基づいて、携帯端末２の設定情報を取得するとともに、携帯端末２の位置情報を生成する。制御部４１は、携帯端末２の設定情報を取得し、携帯端末２の位置情報を生成すると、ステップＳ６０において、携帯端末２の位置情報に基づいて、画像形成装置４から所定範囲内に携帯端末２が位置するか否かを判定する。制御部４１は、所定範囲内に携帯端末２が位置しない場合に（ステップＳ６０のＮｏ）、ステップＳ７０において、画像形成装置４を通常モードに設定する。制御部４１は、画像形成装置４を通常モードに設定した後に、ステップＳ４０において、用紙Ｓに画像を形成するように画像形成部４２を制御して、画像形成制御を終了する。
【００４７】
制御部４１は、所定範囲内に携帯端末２が位置する場合に（ステップＳ６０のＹｅｓ）、ステップＳ８０において、設定情報が静音モードを示す情報を含むか否かを判定する。制御部４１は、設定情報が静音モードを示す情報を含む場合に（ステップＳ８０のＹｅｓ）、ステップＳ３０において、画像形成装置４を静音モードに設定する。制御部４１は、画像形成装置４を静音モードに設定した後に、ステップＳ４０において、用紙Ｓに画像を形成するように画像形成部４２を制御して、画像形成制御を終了する。
【００４８】
なお、制御部４１は、設定情報が静音モードを示す情報を含まない場合に（ステップＳ８０のＮｏ）、ステップＳ７０において、画像形成装置４を通常モードに設定する。制御部４１は、画像形成装置４を通常モードに設定した後に、ステップＳ４０において、用紙Ｓに画像を形成するように画像形成部４２を制御して、画像形成制御を終了する。
【００４９】
以上、図１から図４を参照して、本発明の実施形態１、及び実施形態２に係る画像形成システム１について説明した。但し、本発明は、実施形態１、及び実施形態２に限られるものではなく、その要旨を逸脱しない範囲で種々の態様において実施することが可能である。
【００５０】
例えば、本発明の実施形態２では、制御部４１は、画像形成装置４から所定範囲内の携帯端末２の設定情報を参照していたが、本発明はこれに限定されない。本発明の制御部４１は、特定の携帯者が携帯する携帯端末２から設定情報を取得すればよい。制御部４１は、例えば、複数の携帯端末２のうち、画像形成装置４に最も近い位置の携帯者が携帯する携帯端末２から設定情報を取得してもよい。したがって、画像形成装置４に最も近い位置の携帯者の設定に対応するように、画像形成装置４のモードが設定される。この結果、画像形成装置４の作動音が画像形成装置４に最も近い位置の携帯者に与える不快感を抑制できる。
【００５１】
また、制御部４１は、例えば、予め設定された携帯端末２の設定情報を参照してもよい。この結果、例えば、画像形成装置４の作動音に敏感な特定の携帯者の設定に対応するように、画像形成装置４のモードが設定され、画像形成装置４の作動音が特定の携帯者に与える不快感を抑制できる。
【００５２】
また、例えば、本発明の実施形態２では、制御部４１は、携帯端末２との通信時間に基づいて、携帯端末２の位置情報を生成していたが、本発明はこれに限定されない。制御部４１は、携帯端末２の位置情報を生成すればよい。制御部４１は、例えば、ＧＰＳ機能を有する。制御部４１は、ＧＰＳ機能を用いて画像形成装置４の位置を生成可能である。また、携帯端末２は、例えば、ＧＰＳ機能を有する。携帯端末２は、ＧＰＳ機能を用いて携帯端末２の位置を生成可能である。制御部４１は、通信ネットワークＮを介して携帯端末２の位置を取得して、携帯端末２の位置と画像形成装置４の位置とに基づいて、携帯端末２の位置情報を生成してもよい。
【００５３】
また、例えば、本発明の実施形態１、及び実施形態２では、画像形成装置４は、端末装置３を介して入力される画像データ、及びモード情報を参照していたが、本発明は、これに限定されない。本発明の画像形成装置４は、入力されたモード情報を参照すればよい。画像形成装置４は、例えば、画像読取部４４を介して入力される画像データと、操作パネル４３を介して入力されるモード情報とを参照してもよい。
【００５４】
また、例えば、本発明の実施形態１、及び実施形態２では、制御部４１は、携帯端末２の記憶部２１に記憶される設定情報を取得していたが、本発明は、これに限定されない。本発明の制御部４１は、携帯端末２から静音モードを示す設定情報を取得すればよい。制御部４１は、例えば、携帯端末２がマナーモードに設定されている場合に、携帯端末２から静音モードを示す設定情報を取得してもよい。この結果、携帯端末２に静音モードを示す情報を入力する携帯者の作業が軽減され、画像形成システム１の利便性を向上できる。なお、携帯端末２は、マナーモードを設定可能であり、携帯端末２は、マナーモードにおいて、報告音が制限される。
【００５５】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５６】
本発明は、画像形成システムに関するものであり、複数の使用者に使用される画像形成装置を備える画像形成システムに有用である。
【符号の説明】
【００５７】
１        画像形成システム
２        携帯端末
３        端末装置
４        画像形成装置
Ｎ        通信ネットワーク
Ｓ        用紙
【図１】
2018167415.tif 000003
【図２】
2018167415.tif 000004
【図３】
2018167415.tif 000005
【図４】
2018167415.tif 000006